(57)【要約】【課題】リアルタイム証拠を収集し、同時にリアルタイム監視を実行する。【解決手段】監視機能付き携帯照明装置は本体１０と、本体の前端に複数の照明ユニット２１及びビデオモジュール２２とを含んでいる。本体は無線モジュール２３、表示制御モジュール２４、プロセッサ２５及び電源モジュール２６をさらに備えている。プロセッサは照明ユニット、ビデオモジュール、無線モジュール、表示制御モジュール及び電源モジュールにそれぞれ電気的に接続される。電源モジュールは照明ユニット、ビデオモジュール、無線モジュール及び表示制御モジュールに電気的に接続される。上述の構造により、携帯照明装置はビデオモジュールを介してリアルタイムビデオ情報を取り込むことができる。無線モジュールは位置情報を受信し、リアルタイムビデオ情報を伝送してリアルタイム記憶し、リアルタイム監視の目的を達成する。【選択図】図１
2019047476.tif 000002
【特許請求の範囲】
【請求項１】
監視機能付き携帯照明装置であって、前記監視機能付き携帯照明装置は
リアルタイムビデオ情報を取り込むためのビデオモジュールと、
照明ための複数の照明ユニットと、
無線信号を送受信する無線モジュールと、
ユーザが操作するための表示制御モジュールと、
前記ビデオモジュール、前記照明ユニット、前記無線モジュール及び前記表示制御モジュールを電気的に接続する電源モジュールと、
前記ビデオモジュール、前記照明ユニット、前記無線モジュール、前記表示制御モジュール及び前記電源モジュールに電気的に接続されるプロセッサとを備え、
前記監視機能付き携帯照明装置の位置情報が無線モジュールによって提供され、前記リアルタイムビデオ情報が遠隔終端装置に送信されて記憶されることを特徴とする監視機能付き携帯照明装置。
【請求項２】
信号伝送モジュール、メモリユニット及びオーディオモジュールを備え、
前記信号伝送モジュール、前記メモリユニット及び前記オーディオモジュールは前記プロセッサ及び前記電源モジュールに電気的に接続されることを特徴とする請求項１記載の監視機能付き携帯照明装置。
【請求項３】
前記複数の照明ユニットは複数の白色ＬＥＤ及び／又は複数の赤外線（ＩＲ）ＬＥＤを備え、
前記ビデオモジュールは可変焦点距離又は固定焦点距離を有するカメラを含み、
前記無線モジュールはＧＰＳモジュール、Ｗｉ−Ｆｉモジュール、移動通信モジュール及び無線検知モジュールを含み、
前記表示制御モジュールはＬＣＤ表示部及び入力インターフェースを含むことを特徴とする請求項１記載の監視機能付き携帯照明装置。
【請求項４】
前記信号伝送モジュールは２つの信号伝送接点と２つの充電接点を有し、
前記信号伝送モジュールの前記２つの充電接点は前記電源モジュールに電気的に接続され、
前記メモリユニットはメモリカードを含むことを特徴とする請求項２記載の監視機能付き携帯照明装置。
【請求項５】
本体と、
前記本体の前端に配置されリアルタイムビデオ情報を取り込むためのビデオモジュールと、
前記ビデオモジュールを囲繞して配置され照明のための複数の照明ユニットと、
前記本体内に配置され無線信号を送受信するための無線モジュールと、
前記本体上に配置されユーザが操作するための表示制御モジュールと、
前記本体内に配置され前記ビデオモジュール、前記照明ユニット、前記無線モジュール及び前記表示制御モジュールにそれぞれ電気的に接続される電源モジュールと、 
前記本体の内部に配置され前記ビデオモジュール、前記照明ユニット、前記無線モジュール、前記表示制御モジュール及び前記電源モジュールにそれぞれ電気的に接続されるプロセッサとを備え、
前記無線モジュールは位置情報を提供し、前記リアルタイムビデオ情報を遠隔終端装置に送信し記憶することを特徴とする監視機能付き携帯照明装置。
【請求項６】
前記本体は、上ケース、下ケース、光を透過する前カバー、後キャップ及び下ケースキャップを有し、
前記上ケース及び前記下ケースは前記前カバーを介して前記後キャップと組み合わされて固定され、
前記表示制御モジュールを露出させるための少なくとも１つの第１の開口が前記上ケースの上部に形成されることを特徴とする請求項５記載の監視機能付き携帯照明装置。
【請求項７】
信号伝送モジュール、メモリユニット及びオーディオモジュールを備え、
前記信号伝送モジュール、前記メモリユニット及び前記オーディオモジュールは前記プロセッサ及び前記電源モジュールに電気的に接続され、
前記信号伝送モジュール、前記メモリユニット及び前記オーディオモジュールは前記本体内に配置され、
前記信号伝送モジュール及び前記メモリユニットを露出させるための少なくとも１つの第２の開口が前記下ケースキャップの底部に形成され、
前記信号伝送モジュール及び前記メモリユニットを露出させるための少なくとも１つの第３の開口が前記下ケースキャップの底部に形成されることを特徴とする請求項６記載の監視機能付携帯照明装置。
【請求項８】
前記電源モジュールは前記上ケースの後端及び前記下ケースの後端の間に前記後キャップに近接して配置されることを特徴とする請求項７に記載の監視機能付き携帯照明装置。
【請求項９】
前記下ケースの底部に配置され前記メモリユニットを覆うための第１の防水防塵キャップと、
前記下ケースの底部に配置され前記信号伝送モジュールを覆うための第２の防水防塵キャップとを備えることを特徴とする請求項８記載の監視機能付携帯照明装置。
【請求項１０】
前記前カバー内に装着される第１の保護リングと、
前記後キャップ内に装着される第２の保護リングと、
前記上ケース及び前記下ケースの間に装着される第１の防水防塵リブと、
前記下ケースキャップ及び前記下ケースの間に装着される第２の防水防塵リブと、
前記無線モジュールを囲繞して装着される第３の防水防塵リブとを備えることを特徴とする請求項９記載の監視機能付携帯照明装置。
【請求項１１】
充電台を備え、前記充電台は、
予備電源モジュールを収容するための第１のスロットと、
接続インターフェースが形成される第２のスロットとを備え、
前記接続インターフェースは２つの信号伝送接点及び２つの充電接点を有し、
前記接続インターフェースは前記信号伝送モジュールの信号伝送接点の電気接続のためのものであり、前記接続インターフェースの前記充電接点は前記信号伝送モジュールの充電接点の電気接続のためのものであり、
前記充電台はＵＳＢポート及び電源端子を備えることを特徴とする請求項１０記載の監視機能付き携帯照明装置。
【発明の詳細な説明】
【技術分野】
【０００１】
本発明は、携帯照明装置に関し、特に監視機能付き携帯照明装置に関する。
【背景技術】
【０００２】
今日、レジデンスコミュニティ（住居群）やビジネスビルディングのセキュリティ監視システムを持つことは極めて一般的である。それにもかかわらず、多くのコミュニティや企業では、セキュリティスタッフをパトロールさせている。これはパトロールが泥棒を脅して追い払ったり、証拠を収集して逮捕したりするのに役立つ。基本的に、パトロール警備員は懐中電灯、警棒（バトン）、ウォーキートーキー、ポータブル小型電子機器などを装備している。懐中電灯は、照明や防衛のための警棒に使用される。標準装備には幾つかの異なるツールがあるため、パトロール中のセキュリティスタッフが証拠を収集し、時間内に措置を採ることは不便である。
【０００３】
特許文献１（台湾特許第Ｉ４１２２７０号明細書）には警棒型監視装置が開示され、これはフロントケース及びリアケースを含んでいる。フロントケースには、照明モジュールと、ナイトビジョンモジュールと、ビデオモジュールとが設けられている。表示制御モジュールはフロントケースの外側に配置され、それぞれ照明モジュール、ナイトビジョンモジュール及びビデオモジュールに電気的に接続される。リアケースは一端がフロントケースに接続される長い円筒形状をしている。リアケースはフロントケース上の照明モジュール、ナイトビジョンモジュール及びビデオモジュールに作動電力を供給するためのバッテリを収容する。したがって、警棒型監視装置は証拠収集及び警棒の２つの機能を提供する。
【先行技術文献】
【特許文献】
【０００４】
【特許文献１】台湾特許第Ｉ４１２２７０号明細書
【発明の概要】
【発明が解決しようとする課題】
【０００５】
要約すると、従来技術において、パトロールするセキュリティスタッフは多過ぎるほどのツールを携帯していることからパトロールに不便をきたしている。上述の特許は照明機能とビデオ機能の両方を備えているが、セキュリティスタッフが自衛のために警棒を使用した場合、大きな衝撃に因ってこれらの機能が実行できない可能性がある。特に、ビデオ機能が実行できないと、監視機能も喪失することになる。したがって、リアルタイムの監視と同時にセキュリティスタッフのセキュリティ確保の必要性を満たすことができていない。したがって、より良い解決策を提供することが不可欠である。
【課題を解決するための手段】
【０００６】
前述のことに鑑みて、本発明の目的は監視機能付き携帯照明装置を提供することである。ユーザがこの監視機能付き携帯照明装置を使用するとき、リアルタイムビデオ情報が取り込まれ、ワイヤレス接続ラインを介して遠隔終端装置に送信されて記憶される。したがって、リアルタイム証拠を収集し、同時にリアルタイム監視を実行することができる。
【０００７】
上述の目的を達成するために、本発明に係る監視機能付き携帯照明装置は、
リアルタイムビデオ情報を取り込むためのビデオモジュールと、
照明ための複数の照明ユニットと、
無線信号を送受信する無線モジュールと、
ユーザが操作するための表示制御モジュールと、
ビデオモジュール、照明ユニット、無線モジュール及び表示制御モジュールを電気的に接続する電源モジュールと、
ビデオモジュール、照明ユニット、無線モジュール、表示制御モジュール及び電源モジュールに電気的に接続されるプロセッサとを備え、
監視機能付き携帯照明装置の位置情報が無線モジュールによって提供され、リアルタイムビデオ情報が遠隔終端装置に送信されて記憶される。
【０００８】
また、本発明の監視機能付き携帯照明装置は、
信号伝送モジュール、メモリユニット及びオーディオモジュールを備え、
信号伝送モジュール、メモリユニット及びオーディオモジュールはプロセッサ及び電源モジュールに電気的に接続される。
【０００９】
さらに、本発明の監視機能付き携帯照明装置は、
複数の照明ユニットは複数の白色ＬＥＤ及び／又は複数の赤外線（ＩＲ）ＬＥＤを備え、
ビデオモジュールは可変焦点距離又は固定焦点距離を有するカメラを含み、
無線モジュールはＧＰＳモジュール、Ｗｉ−Ｆｉモジュール、移動通信モジュール及び無線検知モジュールを含み、
表示制御モジュールはＬＣＤ表示部及び入力インターフェースを含んでいる。
【００１０】
また、本発明の監視機能付き携帯照明装置は、
信号伝送モジュールは２つの信号伝送接点と２つの充電接点を有し、
信号伝送モジュールの２つの充電接点は電源モジュールに電気的に接続され、
メモリユニットはメモリカードを含んでいる。
【００１１】
また、本発明の監視機能付き携帯照明装置は、
本体と、
本体の前端に配置されリアルタイムビデオ情報を取り込むためのビデオモジュールと、
ビデオモジュールを囲繞して配置され照明のための複数の照明ユニットと、
本体の内部に配置され無線信号を送受信するための無線モジュールと、
本体上に配置されユーザが操作するための表示制御モジュールと、
本体の内部に配置されビデオモジュール、照明ユニット、無線モジュール及び表示制御モジュールにそれぞれ電気的に接続される電源モジュールと、 
本体の内部に配置されビデオモジュール、照明ユニット、無線モジュール、表示制御モジュール及び電源モジュールにそれぞれ電気的に接続されるプロセッサとを備え、
無線モジュールは位置情報を提供し、リアルタイムビデオ情報を遠隔終端装置に送信し記憶する。
【００１２】
さらに、本発明の監視機能付き携帯照明装置は、
本体は、上ケース、下ケース、光を透過する前カバー、後キャップ及び下ケースキャップを有し、
上ケース及び下ケースは前カバーを介して後キャップと組み合わされて固定され、
表示制御モジュールを露出させるための少なくとも１つの第１の開口が上ケースの上部に形成される。
【００１３】
また、本発明の監視機能付き携帯照明装置は、
信号伝送モジュール、メモリユニット及びオーディオモジュールを備え、
信号伝送モジュール、メモリユニット及びオーディオモジュールはプロセッサ及び電源モジュールに電気的に接続され、
信号伝送モジュール、メモリユニット及びオーディオモジュールは本体内に配置され、
信号伝送モジュール及びメモリユニットを露出させるための少なくとも１つの第２の開口が下ケースキャップの底部に形成され、
信号伝送モジュール及びメモリユニットを露出させるための少なくとも１つの第３の開口が下ケースキャップの底部に形成される。
【００１４】
また、本発明の監視機能付き携帯照明装置は、
電源モジュールは上ケースの後端及び下ケースの後端の間に後キャップに近接して配置される。
【００１５】
本発明の監視機能付き携帯照明装置は、
下ケースの底部に配置されメモリユニットを覆うための第１の防水防塵キャップと、
下ケースの底部に配置され信号伝送モジュールを覆うための第２の防水防塵キャップとを備える。
【００１６】
また、本発明の監視機能付き携帯照明装置は、
前カバー内に装着される第１の保護リングと、
後キャップ内に装着される第２の保護リングと、
上ケース及び下ケースの間に装着される第１の防水防塵リブと、
下ケースキャップ及び下ケースの間に装着される第２の防水防塵リブと、
無線モジュールを囲繞して装着される第３の防水防塵リブとを備える。
【００１７】
また、本発明の監視機能付き携帯照明装置は、
充電台を備え、充電台は、
予備電源モジュールを収容するための第１のスロットと、
接続インターフェースが形成される第２のスロットとを備え、
接続インターフェースは２つの信号伝送接点及び２つの充電接点を有し、
接続インターフェースは信号伝送モジュールの信号伝送接点の電気接続のためのものであり、接続インターフェースの充電接点は信号伝送モジュールの充電接点の電気接続のためのものであり、
充電台はＵＳＢポート及び電源端子を備える。
【００１８】
上述の構造によって、本発明の本体の前端は幾つかの照明ユニット及びビデオモジュールを有する。ユーザが本体を保持し、使用するとき、無線モジュールを介してリアルタイムビデオ情報を取り込み、リアルタイムビデオ情報を遠隔終端装置に送信して記憶させる。したがって、リアルタイムの証拠収集及び監視の目的を達成する。
【００１９】
本発明の他の目的、利点及び新規な特徴は、以下の詳細な説明から添付の図面を併せて参照することで一層明らかとなる。
【図面の簡単な説明】
【００２０】
【図１】本発明の好ましい実施例に係わる監視機能付き携帯照明装置のブロック図である。
【図２】本発明の他の実施例に係わる監視機能付き携帯照明装置のブロック図である。
【図３】本発明の好ましい実施例に係わる監視機能付き携帯照明装置の概略斜視図である。
【図４】本発明の他の実施例に係わる監視機能付き携帯照明装置の概略斜視図である。
【図５】本発明の好ましい実施例に係わる監視機能付き携帯照明装置の分解図である。
【図６】本発明の他の実施例に係わる監視機能付き携帯照明装置の分解図である。
【図７】本発明の好ましい実施例に係わる監視機能付き携帯照明装置の部分拡大底面図であり、下ケースが取り外れている。
【図８】本発明の好ましい実施例に係わる監視機能付き携帯照明装置の他の部分拡大底面図である。
【図９】本発明の好ましい実施例に係わる監視機能付き携帯照明装置の１つの使用例を示す概略図である。
【図１０】本発明の好ましい実施例に係わる監視機能付き携帯照明装置の他の使用例を示す概略図である。
【発明を実施するための形態】
【００２１】
以下、本発明にしたがう監視機能付き携帯照明装置を好ましい実施例について図面を参照して詳述する。
【００２２】
図１を参照するに、本発明にしたがう監視機能付き携帯照明装置の好ましい実施例が図示されている。この実施例は携帯照明装置の本体１０と、複数の照明ユニット２１と、ビデオモジュール２２と、無線モジュール２３と、表示制御モジュール２４と、プロセッサ２５と、電源モジュール２６とを含んでいる。ビデオモジュール２２は本体１０の前端に配置され、リアルタイム映像情報を取り込む。照明ユニット２１はビデオモジュール２２の周囲に配置され、照明のためのものである。無線モジュール２３は本体１０の内部に配置され、無線信号を送受信するためのものである。表示制御モジュール２４は本体１０上に設けられユーザが操作するためのものである。電源モジュール２６は、本体１０の内部に配置され、照明ユニット２１、ビデオモジュール２２、無線モジュール２３及び表示制御モジュール２４に電気的に接続される。プロセッサ２５は本体１０の内部に配置され、照明ユニット２１、ビデオモジュール２２、無線モジュール２３、表示制御モジュール２４及び電源モジュール２６に電気的に接続されている。ユーザがパトロール職務のために本体１０を保持するとき、照明ユニット２１を使用して周囲環境を照明するか否かを選択する。同時に、ビデオモジュール２２はリアルタイムビデオ情報を取り込む。無線モジュール２３を介して位置情報が提供される。その後、リアルタイムビデオ情報は遠隔終端装置に送信されて記憶され、それによって同時に証拠を収集し、リアルタイムで監視する。特に、リアルタイムビデオ情報を取り込むことに加えて、ビデオモジュール２２は周囲のリアルタイムオーディオ情報も記録し、記録されたリアルタイムオーディオ情報を遠隔終端装置に送信して記憶させる。遠隔終端装置は集中管理システム（ＣＭＳ）にすることができる。
【００２３】
図２を参照するに、本発明の別の実施例のシステム構造が図示されている。この実施例において、携帯照明装置は信号伝送モジュール２７、メモリユニット２８及びオーディオモジュール２９をさらに含んでいる。信号伝送モジュール２７は本体１０上に配置され、プロセッサ２５及び電源モジュール２６に電気的に接続される。メモリユニット２８は本体１０上に配置され、プロセッサ２５及び電源モジュール２６に電気的に接続される。オーディオモジュール２９は本体１０の内部に配置され、プロセッサ２５及び電源モジュール２６に電気的に接続される。
【００２４】
携帯照明装置の詳細な構造については、図３及び図４を参照すると、その構造が図示されている。本体１０は上ケース１１と、下ケース１２と、光を透過する前カバー１３と、後キャップ１４と、下ケースキャップ１５とを備えている。上ケース１１及び下ケース１２は連結され、ネジで固定される。そして、前カバー１３は上ケース１１及び下ケース１２の前端を囲繞して覆い、後キャップ１４は上ケース１１及び下ケース１２の後端を囲繞して覆っている。これにより、上ケース１１、下ケース１２、前カバー１３及び後キャップ１４は組み合わせて固定される。下ケースキャップ１５が下ケース１２上に配置されている。また、上ケース１１及び下ケース１２の後端にはグリップシース１０１が取り付けられ、これはユーザの保持するための利便性を考慮して滑り止め面を有している。
【００２５】
さらに図５及び図６を参照するに、好ましい実施例において、上ケース１１の外壁は複数の第１の開口が形成されて表示制御モジュール２４の上部に対応しており、表示制御モジュール２４は第１の開口を介して露出してユーザが操作するようにされている。また、下ケース１２の外壁は複数の第２の開口が形成されてプロセッサ２５の底面に対応しており、信号伝送モジュール２７及びメモリユニット２８は第２の開口を介して露出して外部のコンピュータ又はストレージデバイスと接続する便宜を図っている。また、下ケースキャップ１５は複数の第３の開口が形成されており、信号伝送モジュール２７及びメモリユニット２８は第３の開口を介して露出して外部のコンピュータ又はストレージデバイスと接続する便宜を図っている。照明ユニット２１は複数の白色ＬＥＤ及び／又は複数の赤外線（ＩＲ）ＬＥＤをさらに含んでいる。白色ＬＥＤ及びＩＲ ＬＥＤはビデオモジュール２２を囲繞して配置することができる。放射された光は前カバー１３を通過して周囲環境を照明する。ビデオモジュール２２は可変焦点距離又は固定焦点距離を有するカメラである。
【００２６】
好ましい実施例おいて、無線モジュール２３はＧＰＳモジュール２３１、Ｗｉ−Ｆｉモジュール２３２、移動通信モジュール２３３及び無線検知モジュール２３４を含むことができる。より明確に言えば、移動通信モジュール２３３は４Ｇ移動通信モジュール又はより高い仕様の移動体通信モジュールとすることができる。無線検知モジュール２３４は無線周波数識別（ＲＦＩＤ）モジュールとすることができる。ＧＰＳモジュール２３１は本体１０の内部の前部内に配置されている。Ｗｉ−Ｆｉモジュール２３２は本体１０の内部の右部内に配置されている。移動通信モジュール２３３は本体１０の内部の左部内に配置され、Ｗｉ−Ｆｉモジュール２３２と反対側にある。無線検知モジュール２３４は本体１０の後部に配置される。表示制御モジュール２４はＬＣＤ表示部（ディスプレイ）及び入力インターフェースを含むことができ、本体１０の内部に配置されてＧＰＳモジュール２３１の後側にある。
【００２７】
図４及び図５を参照するに、信号伝送モジュール２７は２つの信号伝送接点２７１、２つの充電接点２７２を含んでいる。２つの充電接点２７２は電源モジュール２６に電気的に接続され、下ケース１２の外側に配置されて下ケースキャップ１５で保護されている。電源モジュール２６は上ケース１１の後端及び下ケース１２の後端の間に後キャップ１４に近接して配置される。
【００２８】
メモリユニット２８は本体１０の内部の底部における前部内に配置されている。より明確に言えば、下ケース１２上に形成された第２の開口は外部メモリカードを挿入するためのものである。また、下ケース１２上に形成された第２の開口は加入者識別モジュール（ＳＩＭ）カードを挿入するためのものであり、移動通信モジュール２３３はデータを送受信することができる。
【００２９】
オーディオモジュール２９はブザーを含むことができ、本体１０の内部の底部における前部内に配置される。したがって、オーディオモジュール２９及びＧＰＳモジュール２３１は互いに上下に対向して配置される。
【００３０】
メモリユニット２８及び信号伝送モジュール２７を保護するために、下ケースキャップ１５の底部は第１の防水防塵キャップ１５１及び第２の防水防塵キャップ１５２をさらに有する。第１の防水防塵キャップ１５１はメモリユニット２８を覆って保護し、第２の防水防塵キャップ１５２は信号伝送モジュール２７を覆って保護する。
【００３１】
図３及び図７を参照するに、より優れた防水効果及び防塵効果を得るために、第１の防水防塵リブ１６１が上ケース１１及び下ケース１２の間に挿入される。図４及び図８を参照するに、第２の防水防塵リブ１６２が下ケース１２の第２の開口の縁及び下ケースキャップ１５の間に挿入される。図３を参照するに、第３の防水防塵リブ１６３が無線モジュール２３を囲繞して、例えばＧＰＳモジュール２３１を囲繞して挿入される。第１の防水防塵リブ１６１、第２の防水防塵リブ１６２、第３の防水防塵リブ１６３はその組み合わせにより保護機能を向上させる。
【００３２】
本体１０及び前カバー１３との間及び本体１０及び後キャップ１４の間に防水防塵効果を与えるために、第１の保護リング１３１が前カバー１３の内部に配置され、第２の保護リング１４１が後キャップの内部に配置される。
【００３３】
図９及び図１０を参照するに、携帯照明装置は充電台３０上で充電することができる。充電台３０には第１のスロット３０１及び第２のスロット３０２が形成されている。第１のスロット３０１にはその中に充電部（図示せず）を有する。第２のスロット３０２は接続インターフェース３１を有する。接続インターフェース３１は２つの充電接点３１１及び２つの信号伝送接点３１２を有する。充電台３０の一側にはＵＳＢポート３２及び電源端子３３がさらに設けられている。第１のスロット３０１は予備電源モジュール４０を保持し、充電する。予備電源モジュール４０は携帯照明装置の電源モジュール２６と交換されるものである。第２のスロット３０２は本体１０に使用するためのものである。本体１０の信号伝送モジュール２７は接続インターフェース３１に接続することができ、信号伝送モジュール２７の２つの信号伝送接点２７１は接続インターフェース３１の信号伝送接点３１２に電気的に接続されデータ伝送される。信号伝送モジュール２７の２つの充電接点２７２は接続インターフェース３１の充電接点３１１に電気的に接続され、本体１０の内部の電源モジュール２６を充電する。電源端子３３は電源に接続し、予備電源モジュール４０及び本体１０を充電する。
【００３４】
充電台３０は、主装置５１にさらに電気的に接続することができる。充電台３０はＵＳＢポート３２を信号線５２を介してＵＳＢポート５１１に電気的に接続し、主装置５１にデータを伝送する。
【００３５】
本発明の携帯照明装置は上述の構造のとおりであり、以下に携帯照明装置の使用例について説明する。
【００３６】
照明ユニット２１がＩＲ ＬＥＤを含むことによって、携帯照明装置はやみ夜でもビデオ情報を記録することができる。したがって、リアルタイムで記録されたビデオ情報は夜間又は暗い場所でも明瞭ではっきりしている。
【００３７】
また、Ｗｉ−Ｆｉモジュール２３２及び移動通信モジュール２３３により、携帯照明装置はインターネットに接続する機能を有する。したがって、ユーザは表示制御モジュール２４を操作し、リアルタイムビデオ情報を遠隔終端装置に送信して保存又は確認させることができる。
【００３８】
セキュリティ警備員が携帯照明装置を保持し、パトロール職務を行うとき、ＧＰＳモジュール２３は携帯照明装置を連続的に測位し、セキュリティ警備員が移動するときに携帯照明装置の位置に関するデータを提供又は出力する。Ｗｉ−Ｆｉモジュール２３２又は移動体通信モジュール２３３を介して、このようなデータは遠隔終端装置に伝送される。次いで、遠隔終端装置は受信した位置情報にしたがってデジタルマップ（例えば、Googleマップ）上に軌道を生成する。遠隔終端装置におけるユーザはセキュリティ警備員のパトロール条件及び経路をチェック又は確認できる。
【００３９】
セキュリティ警備員が特定のチェックポイントに到着するとき、無線検知モジュール２３４はチェックポイントに固定されたセンサとの無線検知をし、それによって検知信号を生成する。プロセッサ２５が感知信号を受信した後、感知信号はＷｉ−Ｆｉモジュール２３２又は移動通信モジュール２３３によって遠隔終端装置に送信され、遠隔終端装置におけるユーザはセキュリティ警備員の安全を確認する。
【００４０】
セキュリティ警備員がパトロール中に何らかの事故に遭うとき、セキュリティ警備員は表示制御モジュール２４を介してリアルタイムで何らかの情報を入力することができる。そのような情報はＷｉ−Ｆｉモジュール２３２又は移動通信モジュール２３３を介してリアルタイムで遠隔終端装置に伝送され、遠隔終端装置では確認又は救助できることで、セキュリティ警備員の安全性を向上させる。
【００４１】
さらに、キュリティ警備員は携帯照明装置を保持しながら歩いてパトロールを行うので、キュリティ警備員はビデオモジュール２２を使用して周囲のリアルタイムオーディオ情報をビデオ情報に加えて記録することもできる。このような情報はＷｉ−Ｆｉモジュール２３２又は移動通信モジュール２３３を介してリアルタイムで遠隔終端装置に伝送されて確認される。
【００４２】
また、携帯照明装置が充電台３０上に置かれると、信号伝送モジュール２７の信号伝送接点２７１及び充電台３０の信号伝送接点３１１の間並びに信号伝送モジュール２７の充電接点２７２及び充電のための充電台３０の充電接点３１２の間の電気接続が確立される。充電台３０のＵＳＢポート３２が伝送線５２を介してホスト５１のＵＳＢポート５１１に接続するとき、携帯照明装置はメモリユニット２８に記憶されたリアルタイムビデオ情報をビデオモジュール２２によって主装置５１に直接伝送して記憶し、将来の使用のためにリアルタイムビデオ情報を保存しておく。
【００４３】
以上、このように本発明を説明したが、これは多くの点で変更可能であることは自明である。そのような変形は本発明の精神及び範囲からの逸脱と見なされるべきではなく、当業者に自明であるそのような変更のすべては特許請求の範囲内に含まれるものとする。
【００４４】
また、本発明を例示として、好ましい実施例の観点から説明したが、本発明はその実施例に限定されないことが理解できる。反対に、当業者には明らかである様々な変更及び類似の構造を含むことが意図される。したがって、特許請求の範囲は最も広い解釈にしたがうべきであり、そのような修正及び同様の構造をすべて包含するものである。
【符号の説明】
【００４５】
１０・・・本体
１１・・・上ケース
１２・・・下ケース
１３・・・前カバー
１４・・・後キャップ
１５・・・下ケースキャップ
１０１・・・グリップシース
１３１・・・第１の保護リング
１４１・・・第２の保護リング
１６１・・・第１の防水防塵リブ
１６２・・・第２の防水防塵リブ
１６３・・・第３の防水防塵リブ
２１・・・照明ユニット
２２・・・ビデオモジュール
２３・・・無線モジュール
２４・・・表示制御モジュール
２５・・・プロセッサ
２６・・・電源モジュール
２７・・・信号伝送モジュール
２８・・・メモリユニット
２９・・・オーディオモジュール
２３１・・・ＧＰＳモジュール
２３２・・・Ｗｉ−Ｆｉモジュール
２３３・・・移動通信モジュール
２３４・・・無線検知モジュール
２７１・・・信号伝送接点
２７２・・・充電接点
３０・・・充電台
３１・・・接続インターフェース
３２・・・ＵＳＢポート
３３・・・電源端子
３０１・・・第１のスロット
３０２・・・第２のスロット
３１１・・・充電接点
３１２・・・信号伝送接点
４０・・・予備電源モジュール
５１・・・主装置
５２・・・信号線
５１１・・・ＵＳＢポート
【図１】
2019047476.tif 000003
【図２】
2019047476.tif 000004
【図３】
2019047476.tif 000005
【図４】
2019047476.tif 000006
【図５】
2019047476.tif 000007
【図６】
2019047476.tif 000008
【図７】
2019047476.tif 000009
【図８】
2019047476.tif 000010
【図９】
2019047476.tif 000011
【図１０】
2019047476.tif 000012